(57)【要約】【課題】一枚の織布で従来の単調な用途として用いるだけでなく、手間をかけずに容易に平面的形状から立体的形状へと変形を可能とし、その形状を変形時のまま保持することを可能とする織布を提供する。【解決手段】略経方向に延びる複数の経糸と、略緯方向に延びる複数の緯糸とを織成した織布であって、織布の周辺部に塑性変形自在な線材である形状保持材を有する。さらに、形状保持材が、経方向又は緯方向の少なくともいずれか一方の方向に、経糸又は緯糸とともに織り込まれている。【選択図】図１
0003170806.tif 000002
【実用新案登録請求の範囲】
【請求項１】
略経方向に延びる複数の経糸と、略緯方向に延びる複数の緯糸とを織成した織布であって、
前記織布の周辺部に塑性変形自在な線材である形状保持材を有することを特徴とする織布。
【請求項２】
前記形状保持材が、前記略経方向又は前記略緯方向の少なくともいずれか一方の方向に、前記経糸又は前記緯糸とともに織り込まれていることを特徴とする請求項１に記載の織布。
【請求項３】
前記形状保持材は、金属線、ビニルで被覆された金属線及び合成樹脂により繊維状に形成された線状物からなる群より選択された線材であることを特徴とする請求項１又は２に記載の織布。
【請求項４】
前記経糸及び前記緯糸は、麻糸、木綿糸、羊毛糸、裂き布及び合成繊維の糸からなる群より選択された糸であることを特徴とする請求項１又は２記載の織布。
【考案の詳細な説明】
【技術分野】
【０００１】
本考案は、手工芸の手織製品に係り、詳しくは形状保持性に優れ、各種インテリア製品に用いて好適な織布に関するものである。
【背景技術】
【０００２】
一般的に、略経方向に延びる複数の経糸と、略緯方向に延びる緯糸とを織成した織布は、平面的な一枚のシート状の布として構成される。そして、織布は、その平面的なシート状であるという特性を生かし、例えば、花瓶敷きや壁掛け、テーブル敷きなどといった室内インテリアとして多用されている。また、そのような織布の中でも特に手織りの織布は一品製産品であり、所有者にとっては工芸品として大切な一品であると考えられる。
【０００３】
しかしながら、一枚の織布の形状を瞬時に変化させ、保持させることはできないので、使用用途が平面的に使用できる花瓶敷きや壁掛け、テーブル敷きなどいった単調な用途に限られてしまい、織布を立体的に使用するためには、制作者の意図する様々な形状に形作って縫い合わせたりするなどの加工を施さなければならず手間がかかるといった問題がある。また、織布の特性として、例えば、正方形のものを菱形にして壁にピンで止めたりすると、その形状にゆがんでしまったり、シワができてしまったりといった型くずれしやすいという問題がある。さらに、多くの織布は軟弱性を有するため、織布を収納する際には、折り畳んで引き出し等に収納するのが一般的であり、例えば、シート状の状態のまま立てて本立ての隅等に収納するといったことは困難である。
【０００４】
そこで、前述した問題を解決するため、特許文献１には、ポリオレフィン系線条体を装飾リボンの側縁部又は長さ方向に沿う織成糸の一部に配設して用いることにより、不定方向に変形自在で、折り曲げ時の状態を保持する装飾リボンが提案されている。
【０００５】
また、特許文献２には、縦糸と横糸とを織成した織物において、屈曲可能かつ形状保持可能な芯体を縦糸方向に設けた織物が提案されている。
【先行技術文献】
【特許文献】
【０００６】
【特許文献１】実用新案登録第３０９７０４５号
【特許文献２】特開２０１０−１２１２２５号公報
【考案の概要】
【考案が解決しようとする課題】
【０００７】
しかしながら、前述したいずれの従来技術も、長さ方向又は縦糸方向のみに織布の形状を保持するための芯体を設けているだけなので、加工の際の煩わしさや織布の形状を変化させた後のゆがみやシワといった型くずれの問題、また、軟弱性の問題を全て解決するまでに至っていない。
【０００８】
よって本考案の目的は、前述の問題点を解決した織布を提供することにある。具体的には、一枚の織布を従来の単調な用途として用いるだけでなく、手間をかけずに容易に形状の変形を可能とし、その形状を変形時のまま保持することを可能とすることで、例えば、小物入れ、眼鏡ホルダー、ペーパースタンドなどの立体的な形状のものを含めた多様な用途に用いることが可能であるとともに、型くずれの修正を容易に可能とする柔軟性を有し、シート状の状態で立てて収納可能な織布を提供することを目的とする。
【課題を解決するための手段】
【０００９】
上記目的を達成するため、請求項１に係る本考案は、略経方向に延びる複数の経糸と、略緯方向に延びる複数の緯糸とを織成した織布であって、前記織布の周辺部に塑性変形自在な線材である形状保持材を有することを特徴とする。
【００１０】
請求項２に係る本考案は、請求項１に記載の織布であって、前記形状保持材が、前記略経方向又は前記略緯方向の少なくともいずれか一方の方向に、前記経糸又は前記緯糸とともに織り込まれていることを特徴とする。
【００１１】
請求項３に係る本考案は、請求項１又は２に記載の織布であって、前記形状保持材は、金属線、ビニルで被覆された金属線及び合成樹脂により繊維状に形成された線状物からなる群より選択された線材であることを特徴とする。
【００１２】
請求項４に係る本考案は、請求項１又は２に記載の織布であって、前記経糸及び前記緯糸は、麻糸、木綿糸、羊毛糸、裂き布及び合成繊維の糸からなる群より選択された糸であることを特徴とする。
【考案の効果】
【００１３】
本考案によれば、以下のような効果を奏する。
（１）織布はその周辺部に塑性変形自在な線材である形状保持材を有するので、平面的な形状から立体的な形状へ、手間をかけずに容易に、用途に合わせて形状を変形させ、その形状を変形時のまま保持することを可能とする。
（２）形状保持材が、周辺部に加えて、経方向又は緯方向の少なくともいずれか一方の方向に、経糸又は緯糸とともに織り込まれているので、布の形状を変化させる時に多少不安定となる程度に厚さと堅牢度が不足する織り方の場合でも、平面的な形状から立体的な形状へ、手間をかけずに容易に、用途に合わせて形状を変化させ、その形状を保持することを可能とする。
（３）形状保持材は、金属線、ビニルで被覆された金属線及び合成樹脂により繊維状に形成された線状物からなる群より選択された線材であるので、特別な手織機を使用せずに従来の手織機を使用し、織布を製織することが可能である。
（４）経糸及び前記緯糸は、麻糸、木綿糸、羊毛糸、裂き布及び合成繊維の糸からなる群より選択された糸であることで、いっそう本発明の効果を発揮することが可能である。
【図面の簡単な説明】
【００１４】
【図１】本考案における第１実施例の構成を説明する表面側を示した正面図である。
【図２】本考案における第１実施例の構成を説明する裏面側を示した裏面図である。
【図３】本考案における第１実施例の構成を説明する側面を示した側面図である。
【図４】本考案における第１実施例の構成を説明する図１のＡ−Ａ線断面図である。
【図５】本考案における第２実施例の構成を説明する表面側を示した正面図である。
【図６】本考案における第２実施例の構成を説明する図５のＢ−Ｂ線断面図である。
【図７】本考案における第１実施例の製作方法の第１工程を説明する平面図である。
【図８】本考案における第２実施例の製作方法の第１工程を説明する平面図である。
【図９】本考案における第１実施例の製作方法の第２工程を説明する平面図である。
【図１０】本考案における第１実施例の製作方法の第３工程を説明する平面図である。
【図１１】本考案における第１実施例の製作方法の第４工程を説明する平面図である。
【図１２】本考案における第１実施例の製作方法の第５工程を説明する平面図である。
【考案を実施するための形態】
【００１５】
以下、本考案に係る織布を実施するための最良の形態を図面を参照して具体的に説明する。なお、同一の構成要素については、同一の参照番号を付し、説明を省略する。また、各図において、略中央部に格子状の線で現れる図形は、単に経糸と緯糸とを織成したことを表しているにすぎず、具体的な織り方は、平織、綾織、朱子織など、これに限らない。
【００１６】
図１は、本考案における第１実施例の構成を説明する表面側を示した正面図であり、図２は、本考案における第１実施例の構成を説明する裏面側を示した裏面図であり、図３は、本考案における第１実施例の構成を説明する側面を示した側面図であり、図４は、本考案における第１実施例の構成を説明する図１のＡ−Ａ線断面図である。図１、図２、図３及び図４に示すように、織布１０は、その略全体が、略経方向に延びる複数の経糸２１と、略緯方向に延びる複数の緯糸２２とを公知の織成技術を用いて織成された布面１１から成る。
【００１７】
糸として用いられる素材は、経糸２１には、麻糸などの硬質性を有したものを、緯糸２２には木綿糸、羊毛糸、裂き布及び合成繊維などの太めの糸が好適であるが、これに限らず、天然素材又は人工素材を問わず様々な素材の糸を用いることが可能である。
【００１８】
布面１１の左右の側辺部１４と、上縁部１２と、下縁部１３とを含む周辺部には塑性変形自在な線材である形状保持材１５を内包しており、左右の側辺部１４に配される形状保持材１５は、経糸方向に平行に、また、上縁部１２及び下縁部１３に配される形状保持材１５は緯糸方向に平行に設けられている。
【００１９】
ここで、左右の側辺部１４に配される形状保持材１５は、布面上縁部側端部１４ａから布面下縁部側端部１４ｂへ経糸方向と平行に貫通されている。また、布面１１は、布面上辺部１８ａ及び布面下辺部１９ａに沿って形成された折り返し部１６、１７を有しており、左右の布面上縁部側端部１４ａ及び左右の布面下縁部側端部１４ｂより貫通された形状保持材１５を左右向かい合う方向且つ緯糸２２に平行になるように折り曲げて、折り返し部１６、１７で包み込み、折り返し部上縁部１８ｂ又は折り返し部下縁部１９ｂを布面１１と綴じ糸２０で縫合している。
【００２０】
これにより、形状保持材１５は、布面１１の周辺部に内包されることとなる。そして、表面に現れる織布特有の意匠性は保ったままで、形状保持材１５を変形自在に屈曲させたり、湾曲させたりすることで、織布の形状の変化を可能とし、更に織布の形状を変形時の形状のまま保持することが可能となる。
【００２１】
ここで用いられる形状保持材１５は、金属線又はビニルで被覆された金属線が好適であるが、これに限るものではなく、適宜選択されてもよい。
【００２２】
次に図５及び図６を参照し、本考案における織布の第２実施例について説明する。図５は、本考案における第２実施例の構成を説明する表面側を示した正面図であり、図６は、本考案における第２実施例の構成を説明する図５のＢ−Ｂ線断面図である。前述の第１実施例と第２実施例との違いは、形状保持材２４が、経方向又は緯方向の少なくともいずれか一方の方向に、経糸２１又は緯糸２２とともに織り込まれており、布面１１の平面視において略全面に形状保持材２４を有する点にある。ここで、各図では、緯糸２１とともに形状保持材２４を織り込んだ場合のみ図示しているが、これに限らず、経糸２１とともに形状保持材２４を織り込んだり、経糸２１と緯糸２２とに同時に織り込むことも可能である。
【００２３】
図５及び図６に示すように、織布３０を織成する際に、形状保持糸２４は、経方向又は緯方向の少なくともいずれか一方の方向に経糸２１又は緯糸２２とともに織り込まれるが、その織り込み方としては、例えば、次の方法がある。経糸２１とともに織り込む場合は、経糸２１と同時に形状保持材２４を使用する、一本又は数本おきに形状保持材２４を使用する、または、経糸２１として形状保持材２４を使用するなどの方法が考えられる。また、緯糸２２とともに織り込む場合も、緯糸２２と同時に形状保持材２４を使用する、又は、一段又は数段おきに形状保持材２４を使用するなどの方法が考えられる。
【００２４】
このように、前述したいずれかの方法で、若しくは、いずれかの方法をいくつか組み合わせることで形状保持材２４を布面１１に織り込むことを可能とするのである。
【００２５】
ここで使用される形状保持材２４の素材としては、金属線又は合成樹脂により繊維状に形成された線状物などが好適であるが、これに限らない。
【００２６】
続いて、図７、図８、図９、図１０図１１及び図１２を参照し、本考案における織布１０、３０の製作方法について説明する。図７は、本考案における第１実施例の製作方法の第１工程を説明する平面図であり、図８は、本考案における第２実施例の製作方法の第１工程を説明する平面図である。各図中において手織り機は公知の技術であり、広く一般に知られているため、ここではあえて図示していない。また、手織り機には様々な種類が存在するが、適宜選択されてよい。
【００２７】
織布１０、３０は、図７及び図８に示すように、公知の手織り機を用いて経糸２１と緯糸２２とを交差させて織成する。織技法としては、例えば、経糸２１の密度は粗めに設定し、緯糸２２の打ち込みをきつくしっかり打ち込んで、なるべく地厚でしっかりした織りが好適であるが、織技法は、特に限定されるものではなく、制作者の工夫次第で様々な表現が可能である。
【００２８】
ここで、経糸２１を公知の手織り機に設置又は固定する際に、経糸２１の右及び左の側端に位置する経糸２１は、導きひも２３を設置又は固定する。この導きひも２３に使用される素材は、適宜選択されてよく、特に限定されるものではない。
【００２９】
織りはじめの数段は導きひも２３には緯糸２２を通さずに織る。そして、適宜の段数を織り進んだ後、導きひも２３にも緯糸２２を通して織り進む。その後、任意の段数を織り進んだ後、再び数段を導きひも２３には緯糸２２を通さずに織る。これにより、布面１１と布面１１より延設された折り返し部１６，１７とが形成される。また、布面上縁部側端部１４ａから布面下縁部側端部１４ｂへ経糸方向と平行に導きひも２３が貫通されている。
【００３０】
ここで、本考案の第１実施例と第２実施例の製作方法の違いは、図８に示すように、第１工程において、経糸２１に緯糸２２を通す際、緯糸２２と同時に、一段又は数段おきに形状保持材２４を通して織ることにある。これにより、布面１１全面に形状保持材２４が織り込まれるのである。
【００３１】
以降の工程は、本考案の第１実施例及び第２実施例ともに共通するので、第１実施例のみ記述し、第２実施例の製作工程は省略するものとする。
【００３２】
図９は、本考案における第１実施例の製作方法の第２工程を説明する平面図である。第１工程によって織り上がった後、織布１０は、織機からはずされ、適宜経糸２１ほつれ止め処理などが施される。その後、布面１１の側辺部１４に貫通した導きひも２３の一方の端部２３ａに形状保持材１５の端部１５ａを接続させる。
【００３３】
接続方法としては、導きひも端部２３ａと形状保持材端部１５ａとを粘着テープなどで接続する方法が考えられるが、これに限らない。ただし、結び目などによる大きな節目などが出来てしまう接続方法は、本考案の接続方法としてあまり好適ではない。
【００３４】
図１０は、本考案における第１実施例の製作方法の第３工程を説明する平面図である。前述の第２工程で、形状保持材端部１５ａが一方の導きひも端部２３ａに接続されたので、第３工程では、他方の導きひも端部２３ａを布面１１とは反対側に経糸方向へ引き抜く。図１０において、引き抜かれる方向を矢印にて図示している。
【００３５】
これにより、導きひも２３に代わって、形状保持材１５が布面上縁部側端部１４ａから布面下縁部側端部１４ｂへ経糸方向と平行に貫通される。その後、導きひも２３は形状保持材１５から適宜の方法で取り外される。
【００３６】
ここで、図では一方の側辺部１４のみを図示しているが、前述の第２工程を第３工程を繰り返すことで、他方の側辺部１４にも形状保持材１５が導きひも２３に代わって、布面上縁部側端部１４ａから布面下縁部側端部１４ｂへ経糸方向と平行に貫通されることとなる。
【００３７】
図１１は、本考案における第１実施例の製作方法の第４工程を説明する平面図である。前述の第３工程により、形状保持材１５は、布面上縁部側端部１４ａから布面下縁部側端部１４ｂへ経糸方向と平行に貫通される。そして、左右の布面上縁部側端部１４ａ及び左右の布面下縁部側端部１４ｂより貫通された形状保持材１５をそれぞれ左右向かい合う方向に、緯糸２２に平行になるように折り曲げる。ここで、図１１において折り曲げる方向を矢印にて図示している。
【００３８】
図１２は、本考案における第１実施例の製作方法の第５工程を説明する平面図である。前述の第３工程で緯糸２２に平行になるように折り曲げられた形状保持材１５を布面１１の布面上辺部１８ａ及び布面下辺部１９ｂに沿って形成された折り返し部１６、１７で包み込み、折り返し部上縁部１８ｂ又は折り返し部下縁部１９ｂを布面１１と綴じ糸２０で縫合する。
【００３９】
手織りの一品製産品である織布は所有者にとって工芸品として大切な一品であると思われるが、それが多様な用途として使用でき、さらには利用者の主観的効果が意匠性にも加わることでその価値は何倍にもなると考えられる。また、手織布が本来持つやわらかさやぬくもりといった質感を保ちつつ平面的形状から立体的形状へと姿を自由自在に変化させることで、用途が多様に広がり、織布に対する既存の概念を払拭した多くの働きが期待出来る。
【符号の説明】
【００４０】
１０、２０  織布
１１  布面
１２  上縁部
１３  下縁部
１４  側辺部
１４ａ  布面上縁部側端部
１４ｂ  布面下縁部側端部
１５、２５  形状保持材
１５ａ  形状保持材端部
１６、１７  折り返し部
１８ａ  布面上辺部
１８ｂ  折り返し部上縁部
１９ａ  布面下辺部
１９ｂ  折り返し部下縁部
２０  綴じ糸
２１  経糸
２２  緯糸
２３  導きひも
２３ａ  導きひも端部
【図１】
0003170806.tif 000003
【図２】
0003170806.tif 000004
【図３】
0003170806.tif 000005
【図４】
0003170806.tif 000006
【図５】
0003170806.tif 000007
【図６】
0003170806.tif 000008
【図７】
0003170806.tif 000009
【図８】
0003170806.tif 000010
【図９】
0003170806.tif 000011
【図１０】
0003170806.tif 000012
【図１１】
0003170806.tif 000013
【図１２】
0003170806.tif 000014